(57)【要約】      （修正有）【課題】安定して載置することができ構成も簡素化可能で携帯性に優れた折り畳み式扇風機を提供する。【解決手段】前後方向に設定された第１軸芯周りに回転可能に軸支される羽根１と、第１軸芯上に設けられ羽根１を駆動するモータ６と、羽根１およびモータ６を支持する羽根支持フレーム５と、羽根支持フレーム５が収容される本体ケースと、左右方向に設定され、本体ケースの下部に設けられた第２軸芯と、第２軸芯に回転可能に軸支され、本体ケースの側面部２１ａに折り畳んだ収容状態と、第２軸芯周りに回転させることで側面部２１ａから脱出させて使用状態とに切り換え移動可能な本体支持フレーム３と、使用状態と、収容状態とに本体支持フレーム３を位置決めするクリック機構と、を備えている。【選択図】図４
0003150936.tif 000002
【実用新案登録請求の範囲】
【請求項１】
前後方向に設定された第１軸芯周りに回転可能に軸支される羽根と、
第１軸芯上に設けられ羽根を駆動する駆動源と、
前記羽根および前記駆動源を支持する羽根支持フレームと、
この羽根支持フレームが収容される本体ケースと、
左右方向に設定され、前記本体ケースの下部に設けられた第２軸芯と、
前記第２軸芯に回転可能に軸支され、本体ケースの側面部に折り畳んだ収容状態と、第２軸芯周りに回転させることで側面部から脱出させて使用状態とに切り換え移動可能な本体支持フレームと、
前記使用状態と、前記収容状態とに本体支持フレームを位置決めする位置決め機構と、を備え、前記使用状態において、本体支持フレームを設置部に設置した状態で、本体支持フレームと本体ケースとが所定の角度をなした状態で設置可能であることを特徴とする折り畳み式扇風機。
【請求項２】
前記本体支持フレームの上部に取っ手部が一体形成されていることを特徴とする請求項１に記載の折り畳み式扇風機。
【請求項３】
前記第２軸芯の左右のいずれか一方に、前記位置決め機構として機能するクリック機構が設けられ、位置決め位置が複数個所設定可能に構成されていることを特徴とする請求項１又は２に記載の折り畳み式扇風機。
【請求項４】
前記第２軸芯の左右のいずれか一方に、前記駆動源へ電源供給するための電源端子が同芯状に設けられていることを特徴とする請求項１〜３のいずれか１項に記載の折り畳み式扇風機。
【請求項５】
前記羽根支持フレームは、駆動源を支持する中心フレーム部と、羽根の外側に位置する周辺フレーム部と、中心フレーム部と周辺フレーム部とを連結する複数のスポークとを備えており、複数のスポークのうちの一部が駆動源と電源端子とを接続する配線を保持するための配線通路として機能することを特徴とする請求項４に記載の折り畳み式扇風機。
【請求項６】
前記本体ケースを第１の色で形成するとともに、前記羽根支持フレームを第２の色で形成し、前記配線の２本を前記第１の色と第２の色で形成したことを特徴とする請求項５に記載の折り畳み式扇風機。
【請求項７】
前記本体ケースは、正面視で正方形もしくは矩形を呈しており、前記本体支持フレームは、前記正方形もしくは矩形を取り囲むようなコの字状に形成されることを特徴とする請求項１〜６のいずれか１項に記載の折り畳み式扇風機。
【請求項８】
前記本体支持フレームは、前記側面部に折り畳まれる腕部が折り曲げ可能に構成されており、腕部を折り曲げた状態で載置可能に構成したことを特徴とする請求項１〜７のいずれか１項に記載の折り畳み式扇風機。
【請求項９】
前記本体支持フレームは、前記側面部に折り畳まれる腕部が伸縮可能に構成され、かつ、上部に被係止部が設けられていることを特徴とする請求項１〜７のいずれか１項に記載の折り畳み式扇風機。
【考案の詳細な説明】
【技術分野】
【０００１】
本考案は、容易に携帯することができる小型の折り畳み式扇風機に関するものである。
【背景技術】
【０００２】
かかる折り畳み式扇風機として、下記特許文献１，２に開示されるものが知られている。特許文献１には、携帯用扇風機が開示されており、羽根が収容された充電ケース（本体ケース）３は、充電ケース２に着脱自在であり、この充電ケース２の側面部に把手７が回転可能の軸支されている。把手７は、持ち運びのための把手として機能する。把手は、扇風機全体の支持脚としても機能する。
【０００３】
特許文献２には、小型扇風機が開示されており、羽根が収容される羽根ケースがケースとカバーで略三角状に固定された構成が開示されている。ケースの片側にカバーの回転軸を設けてカバーを取り付け開閉自在とし、ケースの他側に羽根ケースの回転軸を設けて羽根ケースを取り付け開閉自在としたものである。
【先行技術文献】
【特許文献】
【０００４】
【特許文献１】実開昭６０−１２６９６号公報
【特許文献２】実開平２−１４４６９０号公報
【考案の概要】
【考案が解決しようとする課題】
【０００５】
上記特許文献１は、簡素な構成でコの字の把手を設けているが、扇風機の安定した載置が困難である。また、本体ケース（扇風機）を傾斜した状態に載置しようとすると、極めて安定性の悪い構成であり使い勝手の面で改善の余地がある。
【０００６】
また、上記特許文献２は、ケースを載置面に載置することで、羽根ケースを安定した状態で載置することができるが、羽根ケースがケースとカバーで略三角状に固定する構成は構成が複雑化してしまいコスト的な面で問題がある。
【０００７】
本考案は上記実情に鑑みてなされたものであり、その課題は、安定して設置することができ構成も簡素化可能で携帯性に優れた折り畳み式扇風機を提供することである。
【課題を解決するための手段】
【０００８】
上記課題を解決するため本考案に係る折り畳み式扇風機は、
前後方向に設定された第１軸芯周りに回転可能に軸支される羽根と、
第１軸芯上に設けられ羽根を駆動する駆動源と、
前記羽根および前記駆動源を支持する羽根支持フレームと、
この羽根支持フレームが収容される本体ケースと、
左右方向に設定され、前記本体ケースの下部に設けられた第２軸芯と、
前記第２軸芯に回転可能に軸支され、本体ケースの側面部に折り畳んだ収容状態と、第２軸芯周りに回転させることで側面部から脱出させて使用状態とに切り換え移動可能な本体支持フレームと、
前記使用状態と、前記収容状態とに本体支持フレームを位置決めする位置決め機構と、を備え、前記使用状態において、本体支持フレームを設置部に設置した状態で、本体支持フレームと本体ケースとが所定の角度をなした状態で設置可能であることを特徴とするものである。
【０００９】
かかる構成による折り畳み式扇風機の作用・効果を説明する。羽根と駆動源は羽根支持フレームにより支持される。さらに、この羽根支持フレームは本体ケース内に収容される。羽根は、前後方向に設定された第１軸芯周りに回転可能に軸支される。また、本体ケースの下部に第２軸芯が設けられており、この第２軸芯周りに本体支持フレームが回転可能に支持される。本体支持フレームは、収容状態と使用状態に切り換え可能である。収容状態では、本体支持フレームは、本体ケースの側面部に折り畳んだ状態に収容される。使用状態では、本体支持フレームは、本体ケースの側面部から脱出する。また、位置決め機構が設けられており、収容状態と使用状態において、安定した状態で位置決めをすることができる。
【００１０】
使用状態においては、本体支持フレームを設置部に設置させることができ、安定した状態で設置することができる。また、位置決め機構により、使用状態においても本体ケースを安定した状態で設置することができる。折り畳んだ状態においても、位置決め機構により折り畳み状態を確実に保持することができる。折り畳んだ状態では、本体支持フレームは、本体ケースの側面部に収容されており、携帯性に優れた構成とすることができる。したがって、安定して設置することができ構成も簡素化可能で携帯性に優れた折り畳み式扇風機を提供することができる。
【００１１】
なお、説明において「左右方向」「前後方向」「上下方向」という用語を使用するが、これは、図１に示すように、説明の便宜上、扇風機を使用状態に載置した状態を基準にした方向を表わすものである。すなわち、扇風機の正面に使用者がいる場合、使用者から見た方向を表わすものと定義する。ただし、本考案に係る扇風機の設置の仕方は、上記に限定されるものではなく、側面部が下になるように設置してもよく、使用者の都合に応じて任意に設置することができる。
【００１２】
本考案において、前記本体支持フレームの上部に取っ手部が一体形成されていることが好ましい。
【００１３】
取っ手を本体支持フレームに一体形成することで構成をより簡素化することができ、携帯性に優れたものにすることができる。
【００１４】
本発明において、前記第２軸芯の左右のいずれか一方に、前記位置決め機構として機能するクリック機構が設けられ、位置決め位置が複数個所設定可能に構成されていることが好ましい。
【００１５】
かかるクリック機構は、第２軸芯の左右のいずれか一方（右側もしくは左側）に設けられる。これにより、クリック機構の配置という面において、効率よく配置することができる。また、位置決め位置が複数個所に設定されるので、羽根が収容される本体ケースを好みの姿勢に保持させることができる。
【００１６】
本考案において、前記第２軸芯の左右のいずれか一方に、前記駆動源へ電源供給するための電源端子が同芯状に設けられていることが好ましい。
【００１７】
第２軸芯の左右のいずれか一方（右側もしくは左側）に電源端子を設けることで、効率のよい配置構成とすることができる。また、本体ケースの下部に設けられている第２軸芯に電源端子を設けているので、本体ケースの姿勢を変更したとしても、コードの絡みつきなどの問題が生じることがない。
【００１８】
本考案に係る前記羽根支持フレームは、駆動源を支持する中心フレーム部と、羽根の外側に位置する周辺フレーム部と、中心フレーム部と周辺フレーム部とを連結する複数のスポークとを備えており、複数のスポークのうちの一部が駆動源と電源端子とを接続する配線を保持するための配線通路として機能することが好ましい。
【００１９】
この構成によると、羽根を駆動する駆動源は羽根の中心（第１軸芯）に設けられており、この第１軸芯に向けて配線（＋と−の２本）をする必要がある。また、羽根の回転に干渉しないように配線する必要がある。そこで、上記のように中心フレーム部と周辺フレーム部を連結するスポークを利用して配線を行う。複数のスポークのうちの特定のスポークに配線通路を形成する。これにより、配線を確実に行うことができ、羽根の回転駆動との干渉を防止することができる。
【００２０】
本考案において、前記本体ケースを第１の色で形成するとともに、前記羽根支持フレームを第２の色で形成し、前記配線の２本を前記第１の色と第２の色で形成したことが好ましい。
【００２１】
駆動源への配線は＋と−の２本必要であるが、それぞれの色を本体ケースの色と羽根支持フレームの色で形成する。これにより、配線コードの色を周囲のケースの色に同化させることができ、意匠的にも優れたものとすることができる。
【００２２】
本考案に係る前記本体ケースは、正面視で正方形もしくは矩形を呈しており、前記本体支持フレームは、前記正方形もしくは矩形を取り囲むようなコの字に形成されることが好ましい。
【００２３】
この構成によると、収容状態では、本体ケースの周囲に本体支持フレームが取り囲んだような状態で収容され、一体感を呈することができる。これにより、携帯性に優れた折り畳み式扇風機とすることができる。また、載置状態においてもコの字の本体支持フレームにより安定した状態で本体ケースを載置させることができる。
【００２４】
本考案に係る前記本体支持フレームは、前記側面部に折り畳まれる腕部が折り曲げ可能に構成されており、腕部を折り曲げた状態で載置可能に構成したことが好ましい。
【００２５】
このように腕部を折り畳み可能に構成することで、載置面積が狭い場合でも扇風機を載置することができる。
【００２６】
本考案に係る前記本体支持フレームは、前記側面部に折り畳まれる腕部が伸縮可能に構成され、かつ、上部に被係止部が設けられていることが好ましい。
【００２７】
この構成によると、被係止部を利用して壁などに引っ掛けることができ、伸縮自在な腕部により、長さを適切に調整することができる。
【００２８】
なお、本考案において、設置とは、平面に載置したり、壁面などに吊り下げたりする状態を示す用語として使用し、特定の設置態様に限定されるものではない。。
【図面の簡単な説明】
【００２９】
【図１】本実施形態に係る折り畳み式扇風機の右側正面から見た外観図
【図２】本実施形態に係る折り畳み式扇風機の左側背面から見た外観図
【図３】本実施形態に係る折り畳み式扇風機の正面図
【図４】羽根支持構造及び関連する機構を示す分解斜視図
【図５】電源端子の部分の構成を示す拡大断面図
【図６】配線通路を示す拡大図
【図７】位置決め機構として機能するクリック機構の詳細を示す図
【図８】別実施形態に係る折り畳み式扇風機の構成を示す外観斜視図
【図９】別実施形態に係る折り畳み式扇風機の構成を示す外観斜視図
【考案を実施するための形態】
【００３０】
本考案に係る折り畳み式扇風機の好適な実施形態を図面を用いて説明する。図１は、本実施形態に係る折り畳み式扇風機の右側正面から見た外観図である。図２は、本実施形態に係る折り畳み式扇風機の左側背面から見た外観図である。図３は、本実施形態に係る折り畳み式扇風機の正面図である。なお、図面において、左右方向、前後方向、上下方向は図示のように定義する。正面側に扇風機の使用者が位置する場合、その使用者から見た方向で定義する。
【００３１】
＜外観構成＞
図１、図２は折り畳み式扇風機の使用状態を示している。扇風機の羽根１は、回転中心である第１軸芯周りに回転可能である。羽根１は全部で７枚設けられているが、枚数については適宜設定できるものである。第１軸芯は前後方向に一致する。羽根１は、羽根支持フレーム（後述）により支持されている。
【００３２】
本体ケース２は、前側に位置する第１本体ケース部分２０と、後側に位置する第２本体ケース部分２１により構成され、第２本体ケース部分２１の背面側から４本のねじ２２により両者は連結される。本体ケース２は、正面側から見るとほぼ正方形に形成される。ただし、形状については正方形に限定されるものではなく、矩形や楕円形、円形などの適宜の形状にすることができる。
【００３３】
第１本体ケース部分２０の方が第２本体ケース部分２１よりも若干大きな外形を有しており、そのため、両者の境界部分に段差が形成される。その段差部分に、本体ケース２の側面部２１ａが左右に形成され、上面部２１ｂが上部に形成される。第１本体ケース部分２０の上部中央には、窪み２０ａが設けられており、本体ケース２を収容状態から使用状態へ移動させるときに、指を入れることで操作しやすいようにしている。
【００３４】
本体支持フレーム３は、全体としてコの字状に形成されている。本体支持フレーム３は、本体ケース２の下部に設定された第２軸芯周りに回転可能に支持されている。第２軸芯は左右方向に一致している。本体支持フレーム３は、左右一対の腕部３ａと連結部３ｂによりコの字の形状としている。
【００３５】
左右一対の腕部３ａの根元部（下部）が第２軸芯において本体ケース２の第２本体ケース部分２１と連結される。一対の腕部３ａの先端部（上部）が連結部３ｂにより一体化されている。さらに、連結部３ｂには、取っ手３ｃの機能も一体的に形成されている。取っ手３ｃには、指を挿入できる穴が形成されており、携帯性を高めている。穴の形状は楕円形状であるが、適宜変更可能である。なお、本考案において、取っ手３ｃは、必ずしも必要ない。
【００３６】
また、腕部３ａの背面側には、左右それぞれに２つの凸部３ｄ、合計４つの凸部３ｄが形成されており、夫々の凸部３ｄには薄肉のゴム４が貼り付けられている。これにより、本体支持フレーム３（腕部３ａと連結部３ｂ）を載置面に載置するときに安定した状態で載置させることができる。凸部３ｄの形状や個数、配置などについては、適宜変更することができる。また、ゴム４についても同様である。
【００３７】
本体ケース２の正面側の右下には電源スイッチ２３が設けられている。この電源スイッチ２３を押すことで、扇風機を駆動することができる。
【００３８】
本体ケース２の正面側には、羽根１が回転したときに風を前方に送るように穴２０ｂが形成されている。穴２０ｂの形状や大きさは、安全性等を考慮して適宜決めることができる。本実施形態では、渦巻き状の外観を呈するように多数の穴２０ｂが形成されている。本体ケース２の背面側にも、大きな穴が形成され、その穴に安全性確保のための保護ネット７が配置されている。
【００３９】
図３は、本体支持フレーム３を折り畳んで収納した状態を正面から見た図である。図１，２は使用状態である。収容状態では、本体支持フレーム３の腕部３ａが、本体ケース２の側面部２１ａの上に重なるように位置する。また、本体支持フレーム３の連結部３ｂも本体ケース２の上面部２１ｂの上に重なるように位置する。これにより、収容状態では、本体ケース２と本体支持フレーム３とが一体感を有する形で収容され、携帯性を優れたものにしていると共に、意匠的にもまとまりのあるものにしている。
【００４０】
本体支持フレーム３は、本体ケース２に対して第２軸芯周りに相対的に回転可能であるが、その回転角度θについては、５か所にて位置決めできるような位置決め機構（後述）が設けられている。これにより、本体支持フレーム３を載置面に載置する際に、本体ケース２の設置角度を調整することができ、より利便性の高い折り畳み式扇風機とすることができる。
【００４１】
＜羽根支持構造＞
次に、本体ケース２の内部に収容される羽根１の支持構造に関して説明する。図４は、羽根支持構造及び関連する機構を示す分解斜視図である。本体ケース２の第２本体ケース部分２０は取り除いた状態を示している。
【００４２】
羽根１を支持するためのフレームとして羽根支持フレーム５が設けられている。羽根支持フレーム５も、正面視でほぼ正方形の形状を呈している。中心に駆動源としてのモータ６が配置され、このモータ６の不図示の回転軸に羽根１が連結される。羽根１は全部で７枚であるが、一体成型されている。羽根１の枚数については、適宜設定することができる。
【００４３】
羽根支持フレーム５は、モータ６を支持するための中心フレーム部５０と、羽根１の周囲外側に位置する周辺フレーム部５１を備え、これら中心フレーム部５０と周辺フレーム部５１とが、４本のスポーク５２により一体連結された構成となっている。なお、中心フレーム部５０と、周辺フレーム部５１と、スポーク５２は、樹脂により一体成型することができる。スポーク５２は、中心フレーム部５０の外周部分から接線方向に延びた棒状に形成される。スポーク５２の本数については、適宜決めることができる。スポーク５２を設けることで、第１軸芯にモータ６及び羽根１を支持させることができる。また、羽根支持フレーム５として要求される強度を確保することができる。
【００４４】
図４に示すように、第２本体ケース部分２１の内面には、複数個所に係合爪２１ｃが一体成型されている。この係合爪２１ｃは弾性変形可能である。羽根支持フレーム５１の周辺フレーム部５１の後部側に設けられた被係合部５１ａに上記係合爪２１ｃを係合させることで、羽根支持フレーム５１を第２本体ケース部分２１に係合保持することができる。これにより、本体ケース２の内部に安定した状態で羽根支持フレーム５１を支持することができる。
【００４５】
保護ネット７は、金属線により形成されており、そのリング状に形成された保持部７ａを第２本体ケース部分２１の内面に形成された保持凸部２１ｄに挿入することで、保護ネット７を保持させることができる。羽根支持フレーム５を取り付けた状態で、羽根支持フレーム５と第２本体ケース部分１２の内面の間に保持される形になる。
【００４６】
＜配線支持構造＞
４本のスポーク５２のうち一本は、モータ６への配線通路の機能も持たせている。図６は、配線通路を示す拡大図である。スポーク５２には、コード線８ａ，８ｂを通すための溝５２ａが形成されており、配線通路として機能する。このように、スポーク５２を配線通路として利用することで、コード線８ａ，８ｂを絡ませることなく配置することができ、羽根１の回転駆動時においても羽根１とコード線８ａ，８ｂが干渉しないようにすることができる。
【００４７】
図６に示すように、溝５２ａの上には、コード抑え５２ｂが一体形成されており、コード線８ａ，８ｂが溝５２ａから脱落することを防止している。
【００４８】
＋のコード線８ａは、電源端子９の＋端子９ａ（図５参照）に接続される。−のコード線８ｂは、電源スイッチ２３の一方の端子に接続される。電源スイッチ２３の他方の端子と電源端子９の−端子９ｂは、別のコード線８ｃにより接続される。
【００４９】
なお、コード線８ａ，８ｂの色であるが、例えば、＋のコード線８ａは赤系統の色（第１の色）とし、−のコード線８ｂは黒系統の色（第２の色）とする。そして、本体ケース２及び本体支持フレーム３の色を第１の色とし、羽根支持フレーム５の色を第２の色とする。このような色構成とすることで、コード線８ａ，８ｂの色を外観構成部材である本体ケース２や羽根支持フレーム５の色に同化させることができ、外観的に目立たなくすることができる。したがって、正面側にコード線８ａ，８ｂを配置したとしても使用者には目立たず、外観品質を向上させることができる。
【００５０】
＜電源端子の構成＞
図５は、電源端子９の部分の構成を示す拡大断面図である。電源端子９の中央部分に棒状の＋端子９ａが配置される。−端子９ｂは板バネにより構成されている。給電用の端子１０を電源端子９に挿入することでモータ６への給電を行うことができる。モータ６への給電のＯＮ／ＯＦＦは、電源スイッチ２３の押圧操作により行うことができる。電源端子９および電源スイッチ２３は、第２本体ケース部分２１に形成された位置決め部分（詳細の図示は省略）に位置決め挿入させることができる。
【００５１】
図４に示すように、第２本体ケース部分２１の側面部２１ａの下部に穴２１ｅが形成されている。また、本体支持フレーム３の腕部３ａの対応する箇所にも穴３ｅが形成されている。これら穴２１ｅ，３ｅの中心は第２軸芯として設定される。係合部材１１が設けられており、中央に貫通孔が形成されると共に、先端部に弾性変形可能な係合爪１１ａが一体形成されている。この係合部材１１を穴３ｅ側から挿入することで、本体支持フレーム３を第２軸芯（右側）に回転可能に軸支させることができる。
【００５２】
＜位置決め機構（クリック機構）の構成＞
図７は、位置決め機構として機能するクリック機構の詳細を示す図である。クリック機構は、第２軸芯の左側に設けられている。
【００５３】
第２本体ケース部分２１の左側の第２軸芯の位置に雌ねじ２１ｆが形成される。雌ねじ２１ｆの周囲に円周方向に沿ってガイド穴２１ｇが形成される。雌ねじ２１ｆを挟んでガイド穴２１ｇと対向する位置にクリックピン挿入穴２１ｈが形成される。
【００５４】
本体支持フレーム３の左側の腕部３ａの下部に穴３ｆが形成される。この穴３ｆを介して段付きねじ１２が挿入される。段付きねじ１２は、ガイド部１２ａと雄ねじ１２ｂを備えている。この雄ねじ１２ｂが雌ねじ２１ｆに螺合される。
【００５５】
図７（ｂ）に腕部３ａの裏面の構成を示している。裏面には、ガイド軸３ｇが一体形成されており、このガイド軸３ｇは、ガイド穴２１ｇに嵌入される。また、金属製のクリック板３ｈが接着や圧入等の方法により、裏面に取り付けられている。クリック板３ｈには、５つのクリック穴３ｉが形成されており、このクリック穴３ｉにクリックピン１３の先端が挿入されるように構成される。
【００５６】
図７（ｃ）はクリック機構を組み立てた状態における拡大断面図を示している。クリックピン１３は、コイルスプリング１４（付勢手段）により、クリックピン挿入穴２１ｈから突出する方向に付勢されている。クリックピン１３の先端がクリック板３ｈのクリック穴３ｉに挿入されることで、本体支持フレーム３の位置決めを行うことができ、安定した状態で本体支持フレーム３と本体ケース２の相対的な位置関係を維持することができる。
【００５７】
図７に示すように、クリック板３ｈには５つのクリック穴３ｉが形成されているので、５か所において位置決めを行うことができる。図１において示す角度θを５通り設定できることになり、収容状態において位置決めを行うことができると共に、使用状態においても位置決めを行うことができる。また、使用者の好みや載置される個所に応じて本体ケース２の設置角度を調整することができる。なお、上記実施形態では５か所に位置決めできるようにしているが、何か所にするかは適宜決めることができる。
【００５８】
また、ガイド穴２１ｇによりガイド軸３ｇが移動する範囲が規制され、収容状態とθが最大角度とにおいて、移動可能な両端部の位置決めを行うことができる。
【００５９】
また、段付きねじ１２とすることで、本体支持フレーム３の左側の腕部３ａを本体ケース２に対して確実に保持させることができる。また、段付きねじ１２のガイド部２ａを利用することで、本体支持フレーム３の回転動作をスムーズに行うことができる。
【００６０】
＜作用＞
本体支持フレーム３を収容するときは、図３に示すような収容状態になるように、本体支持フレーム３を本体ケース２の側面部２１ａに折り畳んだ状態にする。取っ手３ｃを利用することで自由に携帯して持ち歩くことができる。扇風機の使用を行うときは、本体支持フレーム３を側面部２１ａから脱出させて、角度θを調整し、載置面に本体支持フレーム３を載置させる。電源スイッチ２２を押すことでモータ６に給電され、羽根１を回転駆動させることができる。
【００６１】
＜考案の効果＞
本考案による折り畳み式扇風機によれば、本体支持フレーム３を本体ケース２に対して回転操作するのみで折り畳んだ収容状態と使用状態に簡単に切り替えることができる。折り畳んだ状態では、コの字状に形成された本体支持フレーム３が本体ケース２の周囲に嵌まり込むように構成されており、コンパクトに収容された状態になる。したがって、携帯性に優れた扇風機とすることができる。
【００６２】
また、コの字に形成された本体支持フレーム３を載置面に載置するので、載置面積を確保することができ、安定した状態で載置させることができる。その状態で本体ケース２の角度θを調整することができ、好みに応じて角度を設定することができる。また、それぞれの角度調整位置においてクリック機構により、安定した状態に保持させることができる。
【００６３】
＜別実施形態１＞
別実施形態に係る折り畳み式扇風機を図８に示す。本体支持フレーム３の腕部は、第１腕部３００と第２腕部３０１により構成され、左右の第２腕部が連結部３ｃにより連結される。第１腕部３００と第２腕部３０１は、支点３０２周りに回転可能であり、図示のように、腕部を折り曲げた状態で載置することができる。これにより、載置面積が狭い場所にも対応することができる。
【００６４】
＜別実施形態２＞
さらに別実施形態に係る折り畳み式扇風機を図９に示す。この実施形態において、本体支持フレーム３は、伸縮自在な腕部３０３を備えており、複数段階に調整可能である。左右の腕部３０３は、連結部３０４に連結されており、その中央部に被係止部３０５が設けられている。この被係止部３０５を利用して、壁面（設置部に相当）に引っ掛けることができる。これにより、壁面につりさげるように設置することができる。本体支持フレーム３と本体ケース２との相対角度を調整すれば、設置高さに応じて、適切な角度にすることができる。
【００６５】
＜別実施形態３＞
本実施形態では本体ケース２は正方形・矩形に形成されているが、本体ケース２の外観形状はこれに限定されるものではなく、楕円や半円形状などの種々の形状とすることができ、また、本体支持フレーム３の形状もその外形に合わせて決めることで、収容状態における全体形状もコンパクトにまとめることができる。
【００６６】
外観構成部材である本体ケース２、本体支持フレーム３、羽根支持フレーム５は樹脂成形により形成することができる。外観の色については前述のようにコード線８ａ，８ｂの色を考慮して決めることができるが、色の選択については種々の選択が可能である。
【００６７】
本実施形態では、電源端子９は第２軸芯に右側に、クリック機構は左側に設けられているが、これを逆にしてもよい。位置決め機構としては、クリック機構ではなく、摩擦力により保持されるようにしてもよい。
【００６８】
本実施形態では、図１に示すような態様で扇風機を設置しているが、本考案に係る扇風機の載置の仕方は、上記に限定されるものではなく、左右いずれかの側面部３ａが下になるように載置してもよく、使用者の都合に応じて任意に設置することができる。
【符号の説明】
【００６９】
１        羽根
２        本体ケース
３        本体支持フレーム
３ａ      腕部
３ｂ      連結部
３ｃ      取っ手
８ａ，８ｂ，８ｃ      コード線
１３      クリックピン
１４      コイルスプリング
２０      第１本体ケース部分
２１      第２本体ケース部分
２１ａ    側面部
２１ｂ    上面部
３        本体支持フレーム
５        羽根支持フレーム
６        モータ
５０      中心フレーム部
５１      周辺フレーム部
５２      溝（配線通路）
【図１】
0003150936.tif 000003
【図２】
0003150936.tif 000004
【図３】
0003150936.tif 000005
【図４】
0003150936.tif 000006
【図５】
0003150936.tif 000007
【図６】
0003150936.tif 000008
【図７】
0003150936.tif 000009
【図８】
0003150936.tif 000010
【図９】
0003150936.tif 000011